(57)【特許請求の範囲】
【請求項１】
表示部を備え、当該表示部に表示される画面を他の装置に表示させることにより画面共有を行う表示装置であって、
コンテンツ提供装置から通信ネットワークを介してコンテンツを取得するコンテンツ取得手段と、
コンテンツの開示レベル毎に、当該コンテンツの他の装置への開示に関する指示情報を格納した指示情報格納手段と、
前記指示情報格納手段に格納された指示情報に基づき、前記コンテンツ取得手段により取得されたコンテンツの開示レベルに対応する当該コンテンツの開示制御を行うコンテンツ制御手段と、を備え、
前記開示レベルが、一定期間の開示のみを許可することを示すレベルである場合に、前記コンテンツ制御手段は、前記コンテンツ取得手段により取得されたコンテンツの予め定めた期間分の画面情報を前記他の装置に転送し、当該予め定めた期間が経過した後に、当該コンテンツの名称を記載したマスク画像を前記他の装置に転送する
ことを特徴とする表示装置。
【請求項２】
前記開示レベルが、前記他の装置での開示を許可しないことを示すレベルである場合に、前記コンテンツ制御手段は、前記コンテンツ取得手段により取得されたコンテンツの内容を開示しないようにするための処理を施した画面情報を前記他の装置に転送する
ことを特徴とする請求項１に記載の表示装置。
【請求項３】
前記開示レベルが、コンテンツ料金を支払うことにより開示を許可することを示すレベルである場合に、前記コンテンツ制御手段は、前記表示装置もしくは前記他の装置によりコンテンツ料金支払いの処理がなされたことを確認した後に、前記コンテンツ取得手段により取得されたコンテンツを前記他の装置に転送する
ことを特徴とする請求項１又は２に記載の表示装置。
【請求項４】
前記開示レベルが、前記コンテンツの代替となる代替コンテンツを開示することを示すレベルである場合に、前記コンテンツ制御手段は、前記コンテンツ提供装置から取得した前記代替コンテンツ又は当該代替コンテンツへのアクセス先情報を前記他の装置に転送する
ことを特徴とする請求項１ないし３のうちいずれか１項に記載の表示装置。
【請求項５】
表示部を備え、当該表示部に表示される画面を他の装置に表示させることにより画面共有を行う表示装置が実行する開示制御方法であって、
前記表示装置は、コンテンツの開示レベル毎に、当該コンテンツの他の装置への開示に関する指示情報を格納した指示情報格納手段を備えており、
コンテンツ提供装置から通信ネットワークを介してコンテンツを取得するコンテンツ取得ステップと、
前記指示情報格納手段に格納された指示情報に基づき、前記コンテンツ取得ステップにより取得されたコンテンツの開示レベルに対応する当該コンテンツの開示制御を行うコンテンツ制御ステップと、を備え、
前記コンテンツ制御ステップにおいて、前記開示レベルが、一定期間の開示のみを許可することを示すレベルである場合に、前記表示装置は、前記コンテンツ取得ステップにより取得されたコンテンツの予め定めた期間分の画面情報を前記他の装置に転送し、当該予め定めた期間が経過した後に、当該コンテンツの名称を記載したマスク画像を前記他の装置に転送する
ことを特徴とする開示制御方法。
【請求項６】
表示部を備え、当該表示部に表示される画面を他の装置に表示させることにより画面共有を行う表示装置としてのコンピュータであって、コンテンツの開示レベル毎に、当該コンテンツの他の装置への開示に関する指示情報を格納した指示情報格納手段と、コンテンツ提供装置から通信ネットワークを介してコンテンツを取得するコンテンツ取得手段とを備えるコンピュータを、
前記指示情報格納手段に格納された指示情報に基づき、前記コンテンツ取得手段により取得されたコンテンツの開示レベルに対応する当該コンテンツの開示制御を行うコンテンツ制御手段、として機能させるためのプログラムであって、
前記開示レベルが、一定期間の開示のみを許可することを示すレベルである場合に、前記コンテンツ制御手段は、前記コンテンツ取得手段により取得されたコンテンツの予め定めた期間分の画面情報を前記他の装置に転送し、当該予め定めた期間が経過した後に、当該コンテンツの名称を記載したマスク画像を前記他の装置に転送する
ことを特徴とするプログラム。
【請求項７】
表示部を備え、当該表示部に表示される画面を他の装置に表示させることにより画面共有を行う表示装置と通信ネットワークを介して接続される開示制御装置であって、
前記表示装置から通信ネットワークを介してコンテンツの識別情報を受信する受信手段と、
コンテンツ毎に、当該コンテンツの他の装置への開示に関する指示情報を格納した指示情報格納手段と、
前記指示情報格納手段を参照することにより、前記表示装置から受信した識別情報に対応するコンテンツの開示レベルに対応した開示指示情報を前記表示装置に送信する開示制御手段と、を備え、
前記開示レベルが、一定期間の開示のみを許可することを示すレベルである場合に、前記開示指示情報を受信した前記表示装置は、当該開示指示情報に従って、前記コンテンツの予め定めた期間分の画面情報を前記他の装置に転送し、当該予め定めた期間が経過した後に、当該コンテンツの名称を記載したマスク画像を前記他の装置に転送する
ことを特徴とする開示制御装置。
【請求項８】
表示部を備え、当該表示部に表示される画面を他の装置に表示させることにより画面共有を行う表示装置と通信ネットワークを介して接続される開示制御装置であって、
前記表示装置から通信ネットワークを介してコンテンツの識別情報を受信する受信手段と、
コンテンツ毎に、当該コンテンツの他の装置への開示に関する指示情報を格納した指示情報格納手段と、
前記指示情報格納手段に格納された指示情報に基づき、前記表示装置から受信した識別情報に対応するコンテンツの開示レベルに応じた当該コンテンツの開示制御を行うコンテンツ制御手段と、を備え、
前記開示レベルが、一定期間の開示のみを許可することを示すレベルである場合に、前記コンテンツ制御手段は、前記コンテンツの予め定めた期間分の画面情報を前記他の装置に転送し、当該予め定めた期間が経過した後に、当該コンテンツの名称を記載したマスク画像を前記他の装置に転送する
ことを特徴とする開示制御装置。
【発明の詳細な説明】
【技術分野】
【０００１】
本発明は、ある表示装置に表示される表示画面を他の表示装置に表示させることにより画面共有を行う技術に関連するものである。
【背景技術】
【０００２】
従来から、複数の装置間で、表示画面を共有する技術がある。例えば、特許文献１には、モニタされる側の表示装置が、ユーザ操作に応じて表示する画面の情報を採取し、画面情報を他の表示装置に送信し、他の表示装置が画面情報に基づいて表示画面を再現してモニタする技術が記載されている。
【０００３】
また、特許文献２には、複数の端末装置間で画面の表示内容を共有し端末から画面への書込み等の操作も共有する技術が記載されている。また、特許文献３には、複数のユーザのそれぞれが有する表示装置の画面に、複数のユーザ間で、共通の画面を表示し、その画面表示を通じて行う共同作業を支援する共同作業支援システムに関する技術が記載されている。更に、特許文献４には、仮想空間を他人と共有する技術が記載されている。
【先行技術文献】
【特許文献】
【０００４】
【特許文献１】特開２０１０−５５１５３号公報
【特許文献２】特開２００６−３２３６０７号公報
【特許文献３】特開平１１−６５９７５号公報
【特許文献４】特開２００５−１８２３３１号公報
【発明の概要】
【発明が解決しようとする課題】
【０００５】
上記のように、複数の表示装置間で表示画面を共有する技術を用いることにより、例えば、表示装置の操作に不慣れなユーザ（被アシスト側）が使用する表示装置（第１の表示装置）に表示される表示画面を、当該操作をアシストするユーザ（アシスト側）の表示装置（第２の表示装置）に表示させて、アシスト側のユーザが、表示画面を見ながら被アシスト側のユーザに対して第１の表示装置の操作方法を遠隔で丁寧に教えるといったことが可能になる。
【０００６】
しかし、上記の例で、被アシスト側の第１の表示装置の表示画面には、著作権等により他人への開示が制限されたコンテンツ（例えば、動画や静止画等）が含まれる場合がある。このようなコンテンツが、他人の表示装置である第２の表示装置に表示されることはコンテンツ提供者の意図に反し、好ましくない。
【０００７】
本発明は上記の点に鑑みてなされたものであり、第１の表示装置に表示される表示画面を第２の表示装置に表示させることにより画面共有を行う技術において、第１の表示装置に表示されるコンテンツの開示レベルに応じて、当該コンテンツの第２の表示装置への開示を制御する技術を提供することを目的とする。
【課題を解決するための手段】
【０００８】
上記の課題を解決するために、本発明は、表示部を備え、当該表示部に表示される画面を他の装置に表示させることにより画面共有を行う表示装置であって、コンテンツ提供装置から通信ネットワークを介してコンテンツを取得するコンテンツ取得手段と、コンテンツの開示レベル毎に、当該コンテンツの他の装置への開示に関する指示情報を格納した指示情報格納手段と、前記指示情報格納手段に格納された指示情報に基づき、前記コンテンツ取得手段により取得されたコンテンツの開示レベルに対応する当該コンテンツの開示制御を行うコンテンツ制御手段と、を備え、前記開示レベルが、一定期間の開示のみを許可することを示すレベルである場合に、前記コンテンツ制御手段は、前記コンテンツ取得手段により取得されたコンテンツの予め定めた期間分の画面情報を前記他の装置に転送し、当該予め定めた期間が経過した後に、当該コンテンツの名称を記載したマスク画像を前記他の装置に転送することを特徴とする表示装置として構成される。
【０００９】
また、本発明は、上記表示装置が実行する開示制御方法、及び、コンピュータを、上記表示装置におけるコンテンツ制御手段として機能させるためのプログラムとして構成することもできる。
【００１０】
また、本発明は、表示部を備え、当該表示部に表示される画面を他の装置に表示させることにより画面共有を行う表示装置と通信ネットワークを介して接続される開示制御装置であって、前記表示装置から通信ネットワークを介してコンテンツの識別情報を受信する受信手段と、コンテンツ毎に、当該コンテンツの他の装置への開示に関する指示情報を格納した指示情報格納手段と、前記指示情報格納手段を参照することにより、前記表示装置から受信した識別情報に対応するコンテンツの開示レベルに対応した開示指示情報を前記表示装置に送信する開示制御手段と、を備え、前記開示レベルが、一定期間の開示のみを許可することを示すレベルである場合に、前記開示指示情報を受信した前記表示装置は、当該開示指示情報に従って、前記コンテンツの予め定めた期間分の画面情報を前記他の装置に転送し、当該予め定めた期間が経過した後に、当該コンテンツの名称を記載したマスク画像を前記他の装置に転送することを特徴とする開示制御装置として構成してもよい。
【００１１】
また、本発明は、表示部を備え、当該表示部に表示される画面を他の装置に表示させることにより画面共有を行う表示装置と通信ネットワークを介して接続される開示制御装置であって、前記表示装置から通信ネットワークを介してコンテンツの識別情報を受信する受信手段と、コンテンツ毎に、当該コンテンツの他の装置への開示に関する指示情報を格納した指示情報格納手段と、前記指示情報格納手段に格納された指示情報に基づき、前記表示装置から受信した識別情報に対応するコンテンツの開示レベルに応じた当該コンテンツの開示制御を行うコンテンツ制御手段と、を備え、前記開示レベルが、一定期間の開示のみを許可することを示すレベルである場合に、前記コンテンツ制御手段は、前記コンテンツの予め定めた期間分の画面情報を前記他の装置に転送し、当該予め定めた期間が経過した後に、当該コンテンツの名称を記載したマスク画像を前記他の装置に転送することを特徴とする開示制御装置として構成することもできる。 
【発明の効果】
【００１２】
本発明によれば、第１の表示装置に表示される表示画面を第２の表示装置に表示させることにより画面共有を行う技術において、第１の表示装置に表示されるコンテンツの開示レベルに応じて、当該コンテンツの第２の表示装置への開示を制御する技術を提供することが可能となる。
【図面の簡単な説明】
【００１３】
【図１】第１の実施の形態におけるシステム構成図である。
【図２】第１の実施の形態における表示装置１の機能構成図である。
【図３】開示制御情報格納部１５５に格納される開示制御情報テーブルの例を示す図である。
【図４】第１の実施の形態におけるシステムの基本動作を説明するための図である。
【図５】画面表示例を示す図である。
【図６】「支払いすれば開示」の場合の動作１を説明するための図である。
【図７】「支払いすれば開示」の場合の動作２を説明するための図である。
【図８】「代替画像」の場合の動作を説明するための図である。
【図９】第２の実施の形態におけるシステム構成図である。
【図１０】コンテンツ管理情報格納部５３に格納されるコンテンツ管理テーブルの例である。
【図１１】第２の実施の形態におけるシステムの動作を説明するための図である。
【図１２】第２の実施の形態におけるシステム構成の他の例を示す図である。
【図１３】第２の実施の形態におけるシステムの動作の他の例を説明するための図である。
【図１４】コンテンツ管理情報格納部５３に格納される代替画像情報テーブルの例である。
【発明を実施するための形態】
【００１４】
以下、図面を参照して本発明の実施の形態を説明する。
【００１５】
＜第１の実施の形態＞
(システム構成）
図１に、本発明の第１の実施の形態に係るシステム構成を示す。図１に示すように、本実施の形態に係るシステムは、表示装置１と表示装置２が、通信ネットワーク３を介して接続された構成を有する。更に、通信ネットワーク３には、コンテンツを提供するコンテンツ提供装置４が接続されている。
【００１６】
本実施の形態では、表示装置１、２は、それぞれPC等であってもよいし、携帯電話機等の携帯端末でもよい。通信ネットワーク３は、種々のデータを送受信可能なネットワークである。
【００１７】
本実施の形態では、表示装置１に表示される画面を表示装置２に表示させることを想定している。つまり、表示装置１に表示されるコンテンツの画面情報が表示装置２に送信され、表示装置２が当該画面情報に基づいて画面表示を行う。その中で、表示装置１が、表示するコンテンツの開示レベルに応じて、表示装置２へのコンテンツの開示を制御する処理を行う。
【００１８】
表示装置２は、表示装置１から送信された画面情報を受信し、受信した画面情報に基づいて画面表示を行う機能を含むものであり、この機能自体は表示装置が一般的に備える既存機能を用いて実現できる。
【００１９】
図２に、本実施の形態に係る表示装置１の機能構成図を示す。図２に示すように、表示装置１は、通信部１１、表示部１２、操作部１３、コンテンツ取得部１４、コンテンツ転送表示制御部１５を備えている。
【００２０】
通信部１１は、通信ネットーク３を介して他の装置とデータ等の通信を行うための機能部である。表示部１２は、いわゆるディスプレイであり、画像を表示する機能部である。更に、表示部１２は、音声を出力する機能を備えてもよい。操作部１３は、ユーザが表示装置１に対して情報入力や各種指示を行うためのボタンやキーボード等である。
【００２１】
コンテンツ取得部１４は、ユーザ操作に基づく操作部１３からの操作情報に基づき、コンテンツ提供装置４からコンテンツを取得（ダウンロード）する機能部である。本実施の形態において取得されるコンテンツには、コンテンツ本来の画像情報等に加えて、当該コンテンツを識別する識別情報（例えばURL、コンテンツ名）、及び、当該コンテンツを他人へどの程度開示してよいかを示す開示レベルを含む。
【００２２】
コンテンツ転送表示制御部１５は、コンテンツを表示部１２に表示するための処理を行うとともに、開示レベルに応じて、表示装置２へ転送する転送用の画面情報等を作成し、当該転送用画面情報を、通信部１１を介して転送する機能部である。
【００２３】
より詳細には、コンテンツ転送表示制御部１５は、コンテンツ格納部１５１と、コンテンツ表示処理部１５２と、転送用画面情報生成部１５３と、開示制御部１５４と、開示制御情報格納部１５５を含む。コンテンツ格納部１５１は、コンテンツ取得部１４により取得されたコンテンツを格納する記憶部である。コンテンツ表示処理部１５２は、コンテンツ格納部１５１からコンテンツを読み出して、表示部１２に対して表示する処理を行う機能部であり、例えば、符号化されたコンテンツをデコードする機能やグラフィック用記憶領域（グラフィックメモリ等）を含むグラフィック処理のための機能を含む。転送用画面情報生成部１５３は、開示制御部１５４から受信する制御情報に基づき、必要に応じて非開示処理等を行うことにより、転送用画面情報を生成する機能部である。
【００２４】
開示制御部１５４は、表示対象となっているコンテンツの開示レベルをコンテンツ格納部１５１から取得し、開示制御情報格納部１５５に格納された開示制御情報テーブルを参照し、当該コンテンツに対する開示制御内容を判定し、判定結果を制御情報として転送用画面情報生成部１５３に渡す機能を有する。
【００２５】
図３に、開示制御情報格納部１５５に格納される開示制御情報テーブルの例を示す。図３に示すように、開示制御情報テーブルは、予め定められた開示レベル毎に、その開示レベルに対応する制御情報（制御内容を指示する情報）が格納されている。なお、図３に示す開示レベルは一例に過ぎない。図３に示す各開示レベルでどのような制御が行われるかについては後述する。
【００２６】
表示装置１におけるコンテンツ転送表示制御部１５は、ＣＰＵ、メモリ、通信インターフェース等を備えたコンピュータに、当該機能部に対応する処理を記述したプログラムを実行させることにより実現可能である。当該プログラムは、可搬メモリ等の記録媒体に記録して配布することが可能である。また、当該プログラムをネットワーク上のサーバからダウンロードしてインストールすることも可能である。また、上記の「コンピュータ」は、「コンピュータ」の機能を備える携帯電話機等であってもよい。
【００２７】
（システムの動作）
次に、本実施の形態におけるシステムの動作の例を、図４のシーケンスチャートを参照して説明する。
【００２８】
まず、表示装置１は、コンテンツ取得部１４により、コンテンツ要求をコンテンツ提供装置４に送信し（ステップ１）、コンテンツ提供装置４からコンテンツを取得する（ステップ２）。コンテンツを取得したコンテンツ取得部１４は、取得したコンテンツをコンテンツ格納部１５１に格納する。
【００２９】
一方、表示装置２は、画面共有要求を表示装置１に送信し（ステップ３）、表示装置１が、画面共有許可を表示装置２に送信することにより、画面共有が開始される。これ以降、表示装置１に表示される画面情報（本実施の形態では、コンテンツ提供装置４から取得するコンテンツ）は表示装置２にも表示される。ただし、以下で説明するように、開示レベルに応じた開示制御がなされる。
【００３０】
なお、図４に示した例では、表示装置２から画面共有要求を送信し、表示装置１が画面共有許可を表示装置２に送る例を示したが、表示装置１から画面共有要求を送信し、表示装置２が画面共有許可を表示装置２に送るようにしてもよい。また、画面共有要求と画面共有許可を送受信することにより画面共有処理を開始させることは一例に過ぎず、他の手順により画面共有を開始することとしてもよい。また、画面共有を開始するタイミングは任意であり、例えば、コンテンツをダウンロードする前に画面共有を開始してもよい。
【００３１】
ステップ４に続いて、表示装置１のユーザがコンテンツ表示のための操作を行うものとする。すると、コンテンツ表示処理部１５２が、コンテンツをコンテンツ格納部１５１から読み出し、表示部１２に表示する処理を行う（ステップ５）。これは、表示装置１における通常のコンテンツ表示処理である。他方、以下で説明するように、必要に応じた非開示処理を含む、コンテンツの画面情報を転送するための処理が行われる。
【００３２】
コンテンツ転送表示制御部１５の開示制御部１５４は、コンテンツ格納部１５１からコンテンツの開示レベルを読み出し、開示制御情報格納部１５５を参照することにより、当該コンテンツの開示レベルに対応した開示制御内容を決定し、その内容を制御情報として転送用画面情報生成部１５３に渡す（ステップ６）。
【００３３】
制御情報を受信した転送用画面情報生成部１５３は、制御情報に従って転送用画面情報を作成し（ステップ７）、当該転送用画面情報は表示装置２に送信され（ステップ８）、表示装置２で表示される。なお、転送用画像情報の他、コンテンツのダウンロード先URLやサイト名などを表示装置2に送ってもよい。これにより、表示装置２は当該情報を装置内に保存（ブックマーク登録）することにより、表示装置２はコンテンツのサイトにアクセスが可能となる。
【００３４】
以下、図３に示す各開示レベル毎の開示制御処理の具体例を説明する。
【００３５】
（１）「開示」の場合
開示レベルが「開示」である場合、コンテンツをそのまま表示装置２に開示する。すなわち、この場合、転送用画面情報生成部１５３は、コンテンツ表示処理部１５２から、対象としているコンテンツの表示画像情報（表示画面のキャプチャデータ）を取得し、当該表示画像情報をそのまま転送用画面情報とし（ステップ７）、表示装置２に送信する（ステップ８）。なお、表示画像情報を圧縮してもよい。このように、表示画面のキャプチャデータを用いる場合、例えば、上記のコンテンツの表示画像情報取得と、転送用画面情報送信とが、一定時間毎に繰り返される。また、上記のようにキャプチャデータを用いるのでなく、コンテンツ格納部１５１から読み出したコンテンツをそのまま転送用画面情報として表示装置２に送信することとしてもよい。
【００３６】
（２）「一定期間開示」の場合
次に、「一定期間開示」について説明する。「一定期間開示」は、コンテンツが主に動画である場合を想定しているが、静止画であってもよい。開示レベルが「一定期間開示」である場合、転送用画面情報生成部１５３は、コンテンツの表示処理開始（ユーザによるコンテンツ表示指示）時点から、予め定めた期間（時間）だけ、コンテンツを表示装置２に開示する。すなわち、この場合、転送用画面情報生成部１５３は、コンテンツ表示処理部１５２から、対象としているコンテンツの表示画像情報（表示画面のキャプチャデータ）を取得し、当該表示画像情報を転送用画面情報とし（ステップ７）、表示装置２に送信する（ステップ８）処理を、コンテンツの表示処理開始から予め定めた期間まで繰り返し行う。
【００３７】
そして、予め定めた期間が経過した後は、コンテンツの表示画像情報にマスクを施した画像を転送用画面情報とし、それを送信する。ここで、非開示のために施す処理は、マスクのように全部隠すような処理でもよいし、モザイクのように、画像の内容がわからないように画像の各部分が見え隠れするような処理でもよい。また、コンテンツの表示画像情報にマスク等を施して転送用画面情報を作成する代わりに、コンテンツの表示画像情報を用いずに、マスクの画像を用意しておいて、それを送信することとしてもよい。また、コンテンツの識別情報から、コンテンツの名称（動画番組名等）を取得し、その名称をマスク上に記載した画像を転送用画面情報として送信することとしてもよい。この「一定期間開示」の場合における表示遷移例を図５に示す。
【００３８】
（３）「非開示」の場合
開示レベルが「非開示」である場合には、コンテンツ表示処理開始から、上記で説明したマスク等を施した画像の転送処理を行う。
【００３９】
（４）「支払いすれば開示」の場合
開示レベルが「支払いすれば開示」の場合は、表示装置２への開示のための料金をコンテンツ提供者に支払った場合に、表示装置２へのコンテンツ開示を行うものである。この場合の処理を、図６を参照して説明する。図６に示す処理では、ステップ６より後の処理が図４に示す処理と異なる。
【００４０】
ステップ６で、「支払いすれば開示」の制御を行うことが決定されると、開示制御部１５４は、表示部１２に、「支払いすれば開示」を示す内容（すなわち、コンテンツ購入を問い合わせる内容）の画面表示を行い、ユーザから購入許可の操作がなされると（ステップ１１）、開示制御部１５４は、当該コンテンツの識別情報を用いて、コンテンツ提供装置４に対してコンテンツ購入要求を送信する（ステップ１２）。その後、表示装置１（開示制御部１５４）とコンテンツ提供装置４との間で課金処理（コンテンツに対する支払い処理）が行われる（ステップ１３）。
【００４１】
このようにして支払いが行われた後、例えば、表示装置１はコンテンツ提供装置４から開示許可を示す許可情報を受信し、支払いが行われたことを確認した開示制御部１５４は、開示許可を示す制御情報を転送用画面情報生成部１５３に通知する。その後の処理は、開示レベルが「開示」である場合の処理と同じである（ステップ７、８）。
【００４２】
また、開示レベルが「支払いすれば開示」の場合、図７に示す処理手順を用いてもよい。  この場合、ステップ６で、「支払いすれば開示」に対応した制御を行うことが決定されると、開示制御部１５４は、コンテンツ購入要求（コンテンツ名等のコンテンツを識別できる情報を含む）を表示装置２に送信する（ステップ２１）。表示装置２の表示部には、「支払いすれば開示」を示す内容（すなわち、コンテンツ購入を問い合わせる内容）の画面表示が行われ、表示装置２のユーザから購入許可の操作がなされると（ステップ２２）、表示装置２は、当該コンテンツの識別情報を用いて、コンテンツ提供装置４に対してコンテンツ購入要求を送信する（ステップ２３）。その後、表示装置２とコンテンツ提供装置４との間で課金処理（コンテンツに対する支払い処理）が行われる（ステップ２４）。
【００４３】
このようにして支払いが行われた後、例えば、表示装置１はコンテンツ提供装置４から開示許可を示す許可情報を受信し、開示制御部１５４は、開示許可を示す制御情報を転送用画面情報生成部１５３に通知する。その後の処理は、開示レベルが「開示」である場合の処理と同じである（ステップ７、８）。
【００４４】
（５）「代替画像」の場合
開示レベルが「代替画像」である場合、表示装置１で表示されるコンテンツの代替となるコンテンツ（例えば、コンテンツを宣伝するような別の画像等のコンテンツ）を表示装置２に表示する。この場合の処理を図８を参照して説明する。図８に示す処理では、ステップ６より後の処理が図４に示す処理と異なる。
【００４５】
ステップ６で、「代替画像」に対応した制御を行うことが決定されると、開示制御部１５４は、コンテンツ提供装置４に対して、代替画像情報要求（コンテンツの識別情報を含む）を送信し（ステップ３１）、コンテンツ提供装置４から代替画像情報（例えば、代替画像そのもの、もしくは、代替画像へのアクセス先情報（URL等））を取得する（ステップ３２）。そして、代替画像情報は、コンテンツ転送表示制御部１５により表示装置２に送信される（ステップ３３）。
【００４６】
代替画像情報が代替画像そのものであれば、表示装置２は代替画像の表示を行う。代替画像情報が、代替画像へのアクセス先情報であれば、表示装置２は当該アクセス先情報を用いて、当該アクセス先情報に対応するコンテンツ提供装置から代替画像を取得して表示する。
【００４７】
なお、図８の例では、ステップ３１、３２で代替画像情報をコンテンツ提供装置４から取得することとしているが、このような処理に代えて、ステップ２でダウンロードされるコンテンツに代替画像情報を含めることとし、ステップ２において表示装置１が代替画像情報を取得、格納しておき、ステップ６で代替画像表示制御を行うことを決定した後に、当該代替画像情報を表示装置２に送信することとしてもよい。
【００４８】
＜第２の実施の形態＞
次に、第２の実施の形態を説明する。第２の実施の形態は、第１の実施に形態で説明した表示装置１における開示制御部１５４等の機能が、表示装置１の外部に、通信ネットワーク３に接続された開示制御サーバ５として備えられる形態である。本実施の形態における表示装置１と開示制御サーバ５の機能構成例を図９に示す。なお、開示制御サーバ５は、コンテンツ提供装置４内の一機能として構成してもよいし、開示制御サーバ５とコンテンツ提供装置４とを別々の装置として構成してもよい。
【００４９】
本実施の形態の表示装置１は、第１の実施の形態の表示装置１と比べて、開示制御部１５４と開示制御情報格納部１５５が備えられておらず、コンテンツ転送表示制御部１５が、通信ネットワーク３を介して開示制御サーバ５と通信を行う機能を含む。その他の機能は第１の実施の形態と同様である。ただし、本実施の形態では、コンテンツ提供装置４から取得するコンテンツには、コンテンツの識別情報を含むが、開示レベルは含まなくてもよい。
【００５０】
開示制御サーバ５は、通信部５１、開示制御部５２、コンテンツ管理情報格納部５３を備える。通信部５１は、通信ネットワーク３を介してデータ通信を行うための機能部である。開示制御部５２は、コンテンツの識別情報を表示装置１のコンテンツ転送表示制御部１５から受け取り、コンテンツ管理情報格納部５３を参照し、当該コンテンツに対する開示制御内容を決定し、開示制御内容を示す制御情報を表示装置１のコンテンツ転送表示制御部１５に通知する機能を有する。
【００５１】
コンテンツ管理情報格納部５３に格納されるコンテンツ管理テーブルの例を図１０に示す。図１０に示すように、コンテンツ管理情報格納部５３には、コンテンツ（の識別情報）毎に、開示レベルと、それに対応する制御内容が格納されている。ここでの開示レベルと制御内容の種類は、第１の実施の形態で説明したものと同様である。
【００５２】
第２の実施の形態におけるシステムの基本的な処理を図１１を参照して説明する。
【００５３】
まず、表示装置１は、コンテンツ取得部１４により、コンテンツ要求をコンテンツ提供装置４に送信し（ステップ１０１）、コンテンツ提供装置４からコンテンツを取得する（ステップ１０２）。コンテンツを取得したコンテンツ取得部１４は、取得したコンテンツをコンテンツ格納部１５１に格納する。
【００５４】
一方、表示装置２は、画面共有要求を表示装置１に送信し（ステップ１０３）、表示装置１が、画面共有許可を表示装置２に送信する（ステップ１０４）ことにより、画面共有が開始される。なお、図１１に示した例では、表示装置２から画面共有要求を送信し、表示装置１が画面共有許可を表示装置２に送る例を示したが、表示装置１から画面共有要求を送信し、表示装置２が画面共有許可を表示装置２に送るようにしてもよい。また、画面共有要求と画面共有許可を送受信することにより画面共有処理を開始させることは一例に過ぎず、他の手順により画面共有を開始することとしてもよい。また、画面共有を開始するタイミングは任意であり、例えば、コンテンツをダウンロードする前に画面共有を開始してもよい。
【００５５】
ステップ１０４に続いて、表示装置１のユーザがコンテンツ表示のための操作を行うものとする。すると、コンテンツ表示処理部１５２が、コンテンツをコンテンツ格納部１５１から読み出し、表示部１２に表示する処理を行う（ステップ１０５）。これは、表示装置１における通常のコンテンツ表示処理である。他方、以下で説明するように、必要に応じた非開示処理を含む、コンテンツの画面情報を転送するための処理が行われる。
【００５６】
コンテンツ転送表示制御部１５は、コンテンツ格納部１５１からコンテンツの識別情報を読み出し、それを開示制御サーバ５に送信する（ステップ１０６）。開示制御サーバ５では、開示制御部５２が、当該識別情報を用いてコンテンツ管理情報格納部５３を参照することにより、当該コンテンツの開示レベルを把握し、当該開示レベルに対応した開示制御内容を決定し（ステップ１０７）、その内容を制御情報として表示装置１に送信する（ステップ１０８）。
【００５７】
制御情報を受信したコンテンツ転送表示制御部１５における転送用画面情報生成部１５３は、制御情報に従って転送用画面情報を作成し（ステップ１０９）、当該転送用画面情報を表示装置２に送信する（ステップ１１０）。
【００５８】
本実施の形態において、各開示レベルに対応する表示装置１の具体的な処理内容は、第１の実施の形態での処理内容と同様である。
【００５９】
また、開示制御サーバ５が、転送用画面情報の作成、転送を行うように構成することも可能である。以下、この場合について説明する。
【００６０】
本例における表示装置１と開示制御サーバ５の機能構成例を図１２に示す。図１２に示す構成は、図９に示した構成に対し、開示制御サーバ５に転送用画面情報生成送信部５４が追加された構成である。
【００６１】
本例における処理を図１３を参照して説明する。図１３に示す処理では、ステップ１０６までの処理は図１１に示す処理と同じである。
【００６２】
ステップ１０６の後、開示制御サーバ５では、開示制御部５２が、識別情報を用いてコンテンツ管理情報格納部５３（図１０）を参照することにより、当該コンテンツの開示レベルを把握し、当該開示レベルに対応した開示制御内容を決定し、その内容を制御情報として転送用画面情報生成送信部５４に渡す（ステップ１１１）。
【００６３】
制御情報を受信した転送用画面情報生成送信部５４は、制御情報に従って転送用画面情報を作成し（ステップ１１２）、当該転送用画面情報を、表示装置１を経由せずに表示装置２に送信する（ステップ１１３）。
【００６４】
例えば、開示レベルが「開示」であれば、転送用画面情報生成送信部５４は、対象となっているコンテンツを転送用画面情報として表示装置２に送信する。当該コンテンツは、ステップ１０６で表示装置１から受信することとしてもよいし、転送用画面情報生成送信部５４が、識別情報を用いてコンテンツ提供装置４から取得することとしてもよい。また、転送用画面情報として表示装置２に送信するものは、コンテンツ自身でもよいし、表示装置に表示される画面データ（キャプチャデータ）と同じデータを作成し、それを転送用画面情報として送信してもよい。
【００６５】
また、例えば、開示レベルが「非開示」であれば、転送用画面情報生成送信部５４は、マスク画像やモザイク画像を生成し、それを転送用画面情報として表示装置２に送信する。また、コンテンツの識別情報に基づいてコンテンツの名前（番組名等）を取得し、当該名前をマスク画像やモザイク画像の上に記載した画像を生成し、それを転送用画面情報として表示装置２に送信することとしてもよい。
【００６６】
また、開示レベルが「一定期間開示」であれば、転送開始から所定の期間までは、上記の「開示」の場合と同様にして転送用画面情報を表示装置２に送信し、所定の期間が経過したら、上記の「非開示」の場合と同様の転送用画面情報を表示装置２に送信する。
【００６７】
また、開示レベルが「代替画像」である場合、例えば、転送用画面情報生成送信部５４は、コンテンツの識別情報に対応する代替画像情報（代替画像そのもの、もしくは、代替画像へのアクセス先情報（URL等））をコンテンツ提供装置４から取得し、それを転送用画面情報として表示装置２に送信する。
【００６８】
代替画像情報が代替画像そのものであれば、表示装置２は代替画像の表示を行う。代替画像情報が、代替画像のアクセス先情報であれば、表示装置２は当該アクセス先情報を用いて、当該アクセス先情報に対応するコンテンツ提供装置から代替画像を取得して表示する。
【００６９】
また、開示レベルが「代替画像」の場合に備えて、コンテンツ管理情報格納部５３の中に、予め図１４に示すようなコンテンツ識別情報と代替画像情報とを対応付けた代替画像情報テーブルを格納しておき、開示レベルが「代替画像」である場合に、代替画像情報テーブルから代替画像情報を読み出して送信するようにしてもよい。
【００７０】
なお、開示制御サーバ５は、転送用画面情報を表示装置２に送信するのでなく、まずは表示装置１に送信することとしてもよい。この場合、表示装置１が転送用画面情報を表示装置２に転送する。
【００７１】
開示制御サーバ５は、ＣＰＵ、メモリ、通信インターフェース等を備えたコンピュータに、各機能部に対応する処理を記述したプログラムを実行させることにより実現可能である。当該プログラムは、可搬メモリ等の記録媒体に記録して配布することが可能である。また、当該プログラムをネットワーク上のサーバからダウンロードしてインストールすることも可能である。
【００７２】
本発明は、上記の実施の形態に限定されることなく、特許請求の範囲内において、種々変更・応用が可能である。例えば、開示制御に係るコンテンツや代替コンテンツは、画像（動画、静止画等）に限らず、文字情報、音声情報（音声、音楽、着メロ等）も含む。また、例えば、コンテンツが着メロ等の音楽情報である場合に、開示制御における代替コンテンツとして、音楽のイントロのみ、あるいは、CDのジャケット画像等を用いることができる。
【符号の説明】
【００７３】
１、２  表示装置
３  通信ネットワーク
４  コンテンツ提供装置
１１  通信部
１２  表示部
１３  操作部
１４  コンテンツ取得部
１５  コンテンツ転送表示制御部
１５１  コンテンツ格納部
１５２  コンテンツ表示処理部
１５３  転送用画面情報生成部
１５４  開示制御部
１５５  開示制御情報格納部
５  開示制御サーバ
５１  通信部
５２  開示制御部
５３  コンテンツ管理情報格納部
５４  転送用画面情報生成送信部
【図１】
0005679425.tif 000002
【図２】
0005679425.tif 000003
【図３】
0005679425.tif 000004
【図４】
0005679425.tif 000005
【図５】
0005679425.tif 000006
【図６】
0005679425.tif 000007
【図７】
0005679425.tif 000008
【図８】
0005679425.tif 000009
【図９】
0005679425.tif 000010
【図１０】
0005679425.tif 000011
【図１１】
0005679425.tif 000012
【図１２】
0005679425.tif 000013
【図１３】
0005679425.tif 000014
【図１４】
0005679425.tif 000015